(57)【要約】【課題】画像形成装置における省電力モードの識別表示を、優れた省スペース性をもって実現する。【解決手段】相互に異なる波長を有する複数の光源１１３を、相互に近接させて設けるとともに、前記複数の光源１１３からの照射光を臨むひとつの窓１１５を設け、前記複数の光源１１３のそれぞれを、画像形成装置における複数の省電力モード毎に関連付けて点灯又は消灯させ、この点灯又は消灯している１又は複数の光源１１３からの照射光を、前記窓１１５を介して一括視認させることにより、前記省電力モードを識別表示するようにした。【選択図】  図３
2008165520.tif 000002
【特許請求の範囲】
【請求項１】
画像形成装置における複数の省電力モードを識別表示するための省電力モード表示方法であって、
相互に異なる波長を有する複数の光源を、相互に近接させて設けるとともに、前記複数の光源からの照射光を臨むひとつの窓を設け、
前記複数の光源のそれぞれを、前記複数の省電力モード毎に関連付けて点灯又は消灯させ、この点灯又は消灯している１又は複数の光源からの照射光を、前記窓を介して一括視認させることにより、前記複数の省電力モードを識別表示する
ことを特徴とする省電力モード表示方法。
【請求項２】
請求項１記載の省電力モード表示方法であって、
前記複数の光源は、光の三原色からなる
ことを特徴とする省電力モード表示方法。
【請求項３】
請求項１又は２記載の省電力モード表示方法であって、
前記複数の光源は、相互にほぼ等しい光強度とされる
ことを特徴とする省電力モード表示方法。
【請求項４】
画像形成装置における複数の省電力モードを識別表示するための省電力モード表示装置であって、
相互に異なる波長を有するとともに、相互に近接させて設けられる複数の光源と、
前記複数の光源からの照射光を臨むように設けられるひとつの窓と、
前記複数の光源のそれぞれを、前記複数の省電力モード毎に関連付けて点灯又は消灯させる制御手段と、
を備え、
前記制御手段の動作によって点灯又は消灯している１又は複数の光源からの照射光を、前記窓を介して一括視認させることにより、前記複数の省電力モードを識別表示する
ことを特徴とする省電力モード表示装置。
【請求項５】
請求項４記載の省電力モード表示装置であって、
前記制御手段は、前記複数の各光源毎に独立して設けられる
ことを特徴とする省電力モード表示装置。
【請求項６】
請求項４又は５記載の省電力モード表示装置であって、
前記複数の光源は、光の三原色からなる
ことを特徴とする省電力モード表示装置。
【請求項７】
請求項４〜６のいずれかに記載の省電力モード表示装置であって、
前記複数の光源は、相互にほぼ等しい光強度とされる
ことを特徴とする省電力モード表示装置。
【発明の詳細な説明】
【技術分野】
【０００１】
本発明は、例えばプリンタ、複写機、ファクシミリ、スキャナ、デジタル複合機などの画像形成装置における省電力モードを識別表示するための省電力モード表示方法に係り、特に、省電力モードの識別表示を、優れた省スペース性をもって実現可能な省電力モード表示方法及び省電力モード表示装置に関する。
【背景技術】
【０００２】
一般に、プリンタ、複写機、ファクシミリ、スキャナ、デジタル複合機などの画像形成装置には、各種の省電力モード表示を行うための表示部が設けられている。例えば、ファクシミリ機能などの周辺機能を装備し、複数の節電状態を有するデジタル複合機において、操作パネルに設けた状態遷移表示部に電源を常時供給し、それぞれの節電状態の遷移に伴って現在の節電状態を示す状態名などを視認可能に表示する技術が知られている（特許文献１）。
【０００３】
しかしながら、上記従来技術によれば、現在の節電状態を表示するために相応のスペースが必要であり、省スペース性の要請に応えることはできない。
【０００４】
【特許文献１】特開２００２−２７８３７８号公報
【発明の開示】
【発明が解決しようとする課題】
【０００５】
解決しようとする問題点は、画像形成装置における省電力モードの識別表示を、優れた省スペース性をもって実現することはできなかった点である。
【課題を解決するための手段】
【０００６】
本発明は、上記従来技術の課題に着目し、画像形成装置における省電力モードの識別表示を、優れた省スペース性をもって実現することを目的として、画像形成装置における省電力モードを識別表示するための省電力モード表示方法であって、相互に異なる波長を有する複数の光源を、相互に近接させて設けるとともに、前記複数の光源からの照射光を臨むひとつの窓を設け、前記複数の光源のそれぞれを、前記省電力モード毎に関連付けて点灯又は消灯させ、この点灯又は消灯している１又は複数の光源からの照射光を、前記窓を介して一括視認させることにより、前記省電力モードを識別表示することを最も主要な特徴とする。
【発明の効果】
【０００７】
本発明に係る省電力モード表示方法によれば、相互に異なる波長を有する複数の光源を、相互に近接させて設けるとともに、前記複数の光源からの照射光を臨むひとつの窓を設け、前記複数の光源のそれぞれを、前記省電力モード毎に関連付けて点灯又は消灯させ、この点灯又は消灯している１又は複数の光源からの照射光を、前記窓を介して一括視認させることにより、前記省電力モードを識別表示するので、従って、ユーザは、ひとつの窓から照射されてくる単色若しくは混色光を視認することを通じて、画像形成装置で設定される複数の省電力モードを識別して認識することが可能となる結果として、画像形成装置における省電力モードの識別表示を、優れた省スペース性をもって実現することができる。
【発明を実施するための最良の形態】
【０００８】
画像形成装置における省電力モードの識別表示を、優れた省スペース性をもって実現するといった目的を、相互に異なる波長を有する複数の光源を、相互に近接させて設けるとともに、前記複数の光源からの照射光を臨むひとつの窓を設け、前記複数の光源のそれぞれを、画像形成装置における複数の省電力モード毎に関連付けて点灯又は消灯させ、この点灯又は消灯している１又は複数の光源からの照射光を、前記窓を介して一括視認させることにより、前記省電力モードを識別表示する省電力モード表示方法により実現した。
【実施例】
【０００９】
以下、本発明に係る画像形成装置における省電力モード表示方法及び省電力モード表示装置について、図面を参照しつつ詳細に説明する。
【００１０】
［画像形成装置］
図１は、本発明に係る省電力モード表示装置が搭載される画像形成装置の概略構成を示すブロック図、図２は、同画像形成装置の操作パネル部の外観図である。
【００１１】
画像形成装置は、印刷出力、ファックス送信、メール送信、又はデータ送信のうち少なくとも一つの機能が利用可能であり、マイクロコンピュータ及び専用のハードウェア回路等から構成されるコントローラ部１１によって制御される。このコントローラ部１１に接続され諸機能を担う入出力機器として、画像形成装置は、スキャナ部２１、画像処理部３１、エンジン部４１、操作パネル部５１、ファクシミリ通信部８１、ネットワークＩ／Ｆ（インタフェース）部８３、並びに、ＨＤＤ（ハードディスクドライブ）８５を備える。
【００１２】
コントローラ部１１は、スキャナ機能を実現するための動作制御を行うスキャナコントローラ１３と、ファクシミリ機能を実現するための動作制御を行うファクシミリコントローラ１５、プリンタ機能を実現するための動作制御を行うプリンタコントローラ１７、並びに、コピー機能を実現するための動作制御を行うコピーコントローラ１９を内蔵し、装置全体の動作を統括制御する。
【００１３】
スキャナ部２１は、図示しないスキャナを構成する画像照射ランプ２３及びＣＣＤ（電荷結合素子：Charge  Coupled  Device）センサー２５を含む。スキャナ部２１は、画像照射ランプ２３により原稿を照射し、その反射光をＣＣＤセンサー２５で受光することにより、原稿から画像を読み取り、読み取った画像に対応する画像データを画像処理部３１へ出力する。
【００１４】
画像処理部３１は、補正部３３、画像加工部３５及び画像メモリ３７を含む。画像処理部３１は、スキャナ部２１で読み取られた画像データを必要に応じて補正部３３及び画像加工部３５により処理し、処理された画像データを画像メモリ３７に記憶したり、エンジン部４１、ファクシミリ通信部８１等へ出力する。補正部３３は、スキャナ部２１で読み取られた画像データに対してレベル補正、Ｙ補正等の所定の補正処理を行う。画像加工部３５は、画像データの圧縮又は伸張処理、及び拡大又は縮小処理等の種々の加工処理を行う。
【００１５】
エンジン部４１は、図示しない給紙カセットや給紙ローラ等から構成される用紙搬送部４３、図示しない感光体ドラム、露光装置、現像装置等から構成される画像形成部４５、図示しない転写ローラ等から構成される転写部４７、及び図示しない定着ローラ等から構成される定着部４９を含む。エンジン部４１は、スキャナ部２１で読み取られた画像データ、ネットワークＩ／Ｆ部８３を介してＬＡＮ（Local  Area  Network）によりクライアントＰＣ（パーソナルコンピュータ）等から送信された画像データ、ファクシミリ通信部８１を用いて外部のファクシミリ装置等から受信したファクスデータ等の画像データを用いて画像を用紙に印刷する。具体的には、用紙搬送部４３は用紙を画像形成部４５へ搬送し、画像形成部４５は上記の画像データに対応するトナー像を形成し、転写部４７はトナー像を用紙に転写し、定着部４９はトナー像を用紙に定着させて画像を形成する。
【００１６】
操作パネル部５１は、図１及び図２に示すように、タッチパネル部５３、及びテンキー５５やスタートキー５７等から構成される操作キー部５９を含む。操作パネル部５１は、本実施例において諸機能を選択的に入力操作する操作部であり、ユーザがスキャナ機能、ファクシミリ機能、プリンタ機能、コピー機能等に関する操作を行うために使用され、ユーザによる操作指令等をコントローラ部１１に与える。
【００１７】
タッチパネル部５３は、タッチパネルとＬＣＤ（Liquid  Crystal  Display）とを組み合わせたタッチパネルユニット等から構成され、種々の操作画面、例えば、コピー機能実行時には、原稿サイズ、コピーサイズ、複写部数等に関する情報を表示するとともに、ユーザが該当部分をタッチすることにより種々の操作指令を入力するための操作ボタン類を表示する。
【００１８】
操作キー部５９は、例えば、コピー機能、プリンタ機能、スキャナ機能、ファクシミリ機能など諸機能のなかから、所要機能のキー入力操作をユーザが選択的に実行する際に用いられるとともに、ユーザが複写部数やコピー実行指令などを操作入力する際に用いられる。このため、操作パネル部５１上における左側方部には、コピー機能のキー入力操作をユーザが選択的に実行するために用いられるコピー機能選択キー６１と、プリンタ機能のキー入力操作をユーザが選択的に実行するために用いられるプリンタ機能選択キー６３と、スキャナ機能のキー入力操作をユーザが選択的に実行するために用いられるスキャナ機能選択キー６５と、ファクシミリ機能のキー入力操作をユーザが選択的に実行するために用いられるファクシミリ機能選択キー６７と、が備えられている。また、操作パネル部５１上におけるタッチパネル部５３に隣接する位置に、印刷状態表示部７１、送信状態表示部７３、受信状態表示部７５、メモリ空き状態表示部７７、及びエラー状態表示部７９が設けてある。さらに、操作パネル部５１上における右側方部には、本体がどの省電力モードで動作中であるかを表示するための省電力モード表示部８０が設けてある。そして、これら各部におけるＬＥＤの点灯又は消灯若しくは点滅状態によって、該当機能の状態等を表示するように構成されている。
【００１９】
ファクシミリ通信部８１は、符号化／復号化部（図示省略）、変復調部（図示省略）及びＮＣＵ（Network  Control  Unit）（図示省略）を含む。ファクシミリ通信部８１は、スキャナ部２１によって読み取られた原稿の画像データを電話回線を介してファクシミリ装置等へ送信したり、ファクシミリ装置等から送信された画像データを受信する。
【００２０】
ネットワークＩ／Ｆ部８３は、ネットワークインタフェース（１０／１００Ｂａｓｅ−ＴＸ）等を用い、ＬＡＮを介して接続されたクライアントＰＣ等に対する種々のデータの送受信を制御し、例えば、クライアントＰＣ等から送信されてきた印刷データ等を受信する。
【００２１】
ＨＤＤ（ハードディスクドライブ）８５は、スキャナ部２１によって読み取られた画像データ及び同画像データに設定されている出力形式等の種々のデータ等を記憶する。ＨＤＤに記憶されている画像データは、画像形成装置内部で使用されるだけでなく、必要に応じて、ネットワークＩ／Ｆ部８３を介してクライアントＰＣ等から確認したり、クライアントＰＣやＦＴＰサーバ等の所定のフォルダへ転送される。
【００２２】
上記のように、本発明に係る省電力モード表示装置が搭載される画像形成装置は、スキャナ機能、ファクシミリ機能、プリンタ機能、コピー機能、ワープロ機能、メール送信機能、並びにデータ送信機能等の種々の機能を実行可能なように構成されている。
【００２３】
［画像形成装置に搭載された省電力モード表示装置］
図３に示すように、画像形成装置に搭載された省電力モード表示装置１１１は、光の３原色（赤：Ｒ・緑：Ｇ・青：Ｂ）からなる３原色ＬＥＤ群（本発明の「複数の光源」に相当）１１３を備えている。３原色ＬＥＤ群１１３は、赤色発光をするＲ−ＬＥＤ１１３ａ、緑色発光をするＧ−ＬＥＤ１１３ｂ、及び青色発光をするＢ−ＬＥＤ１１３ｃを含み、これらを各別に正三角形の頂点位置に均等配置して構成されている。３原色ＬＥＤ群１１３の光照射方向には、ひとつの透過窓１１５（本発明の「窓」に相当）が、３原色ＬＥＤ群１１３から照射されてきた光を外部から臨み得るように設けられている。なお、透過窓１１５は、省電力モード表示部８０における窓を構成することになる。
【００２４】
３原色ＬＥＤ群１１３ａ，１１３ｂ，１１３ｃにおける各アノード端子は、抵抗群１１９ａ，１１９ｂ，１１９ｃを介して直流電源１１７に接続される一方、その各カソード端子は、トランジスタ群１２１ａ，１２１ｂ，１２１ｃを介して接地されている。
【００２５】
トランジスタ群１２１ａ，１２１ｂ，１２１ｃにおける各ベース端子は、操作パネル部５１、ファクシミリ通信部８１、及びエンジン部４１にそれぞれ接続されている。これにより、操作パネル部５１、ファクシミリ通信部８１、及びエンジン部４１（操作パネル部５１、ファクシミリ通信部８１、及びエンジン部４１は、本発明の「制御手段１２３」に相当する。）から送信されてくる制御信号に従って、トランジスタ群１２１ａ，１２１ｂ，１２１ｃがそれぞれオン／オフ制御されて、かかるオン／オフ制御に従って、３原色ＬＥＤ群１１３ａ，１１３ｂ，１１３ｃが、点灯又は消灯するように構成されている。
【００２６】
本発明において制御手段１２３として機能する操作パネル部５１、ファクシミリ通信部８１、及びエンジン部４１は、各別に設けられたＣＰＵ（不図示）に固有のプログラムに従って、相互に独立した系統の個別動作を行うように構成されている。
【００２７】
［省電力モード表示装置の動作］
次に、上述のように構成された省電力モード表示装置１１１の動作について、図４〜図６を参照して説明する。図４は、三段階に階層化されている省電力モード毎の、各部への電力供給仕様を表し、図５は、三段階の省電力モード毎の、各部における該当ＬＥＤのオン／オフ制御仕様を表し、図６は、三段階の省電力モード毎の、省電力モード表示部８０（透過窓１１５）における表示色を表す。
【００２８】
省電力モード表示装置１１１の動作説明に先立って、画像形成装置に設定される省電力モードの概要について言及すると、画像形成装置は、図４に示すように、消費電力量毎に三段階に階層化（通常待機モードを含んだ場合には四段階）された省電力モードを有している。具体的には、レディモード（通常待機モード）では、操作パネル部５１、エンジン部４１、及びファクシミリ通信部８１の全てに対して電力供給がなされるのに対し、第１の省電力モードでは、操作パネル部５１を除いた、エンジン部４１及びファクシミリ通信部８１に対して電力供給がなされ、第２，第３の省電力モードでは、操作パネル部５１及びエンジン部４１を除いた、ファクシミリ通信部８１に対して電力供給がなされる。ただし、第３の省電力モードにおいて、ファクシミリ通信部８１では、コントローラ部１１からの起動指令を監視する機能、及び該当するＧ−ＬＥＤ１１３ｂのオン／オフ制御機能を除き、全ての電子部品への電力供給が遮断されるといった、特有の省電力モードで動作する点が、第２の省電力モードとは相違している。なお、コントローラ部１１に対しては、省電力モードの如何にかかわらず、常時電力供給がなされている。こうして階層化された電力モードによれば、レディモードを起点として、第１の省電力モード、第２の省電力モード、第３の省電力モードと深い階層に移行してゆくにつれて、消費電力量が削減されてゆくことになる。
【００２９】
次に、上述した各電力モード毎の、各部における該当ＬＥＤのオン／オフ制御仕様について言及すると、図５に示すように、レディモード（通常待機モード）では、操作パネル部５１、エンジン部４１、及びファクシミリ通信部８１の全てについて、各部の該当ＬＥＤがオン制御されるのに対し、第１の省電力モードでは、操作パネル部５１を除いた、エンジン部４１及びファクシミリ通信部８１について、各部の該当ＬＥＤがオン制御され、第２の省電力モードでは、操作パネル部５１及びエンジン部４１を除いた、ファクシミリ通信部８１の該当ＬＥＤがオン制御され、第３の省電力モードでは、操作パネル部５１、エンジン部４１、及びファクシミリ通信部８１の全てについて、各部の該当ＬＥＤがオフ制御される。なお、操作パネル部５１及びエンジン部４１については、各部の該当ＬＥＤをオン／オフ制御するための特別な回路を設けることなく、各部の該当ＬＥＤを電力供給ラインに直結することで、電力供給の有無に従って各部の該当ＬＥＤをオン／オフさせる構成を採用することもできる。
【００３０】
上述した各電力モード毎の、各部における該当ＬＥＤのオン／オフ制御がなされた場合、省電力モード表示部８０（透過窓１１５）における表示色は、図６に示す通りになる。すなわち、レディモードでは、操作パネル部５１、エンジン部４１、及びファクシミリ通信部８１の全てについて、各部の該当ＬＥＤがオン制御される。従って、各部５１、４１、８１は、該当する各トランジスタ１２１宛に制御信号を送信することでこれらをオンさせ、これを受けてＲ−ＬＥＤ１１３ａ、Ｂ−ＬＥＤ１１３ｃ、及びＧ−ＬＥＤ１１３ｂはそれぞれ点灯する。このとき、省電力モード表示部８０の透過窓１１５を介して照射されてきた赤色光、青色光、及び緑色光の混色光である白色光を視認することを通じて、ユーザは本体の電力モードがレディモードにある旨を認識することができる。
【００３１】
次に、第１の省電力モードでは、操作パネル部５１を除いた、エンジン部４１及びファクシミリ通信部８１について、各部の該当ＬＥＤがオン制御される。従って、各部４１、８１は、該当する各トランジスタ１２１宛に制御信号を送信することでこれらをオンさせ、これを受けてＢ−ＬＥＤ１１３ｃ、及びＧ−ＬＥＤ１１３ｂはそれぞれ点灯する。このとき、省電力モード表示部８０の透過窓１１５を介して照射されてきた青色光、及び緑色光の混色光であるシアン色光を視認することを通じて、ユーザは本体の電力モードが第１の省電力モードにある旨を認識することができる。
【００３２】
また、第２の省電力モードでは、操作パネル部５１及びエンジン部４１を除いた、ファクシミリ通信部８１の該当ＬＥＤがオン制御される。従って、ファクシミリ通信部８１は、該当するトランジスタ１２１ｂ宛に制御信号を送信することでこれをオンさせ、これを受けてＧ−ＬＥＤ１１３ｂは点灯する。このとき、省電力モード表示部８０の透過窓１１５を介して照射されてきた緑色光を視認することを通じて、ユーザは本体の電力モードが第２の省電力モードにある旨を認識することができる。
【００３３】
そして、第３の省電力モードでは、操作パネル部５１、エンジン部４１、及びファクシミリ通信部８１の全てについて、各部の該当ＬＥＤがオフ制御される。従って、全ての各部における該当ＬＥＤは消灯する。このとき、省電力モード表示部８０の透過窓１１５を介しての光照射がないことを視認することを通じて、ユーザは本体の電力モードが第３の省電力モードにある旨を認識することができる。
【００３４】
［実施例の効果］
以上説明したように、本発明に係る省電力モード表示装置１１１によれば、ひとつの透過窓１１５から照射されてきた（照射なしを含む）単一光又は混色光を一括視認することを通じて、ユーザが画像形成装置における複数段階の省電力モードを識別して認識することが可能となる結果として、画像形成装置における省電力モードの識別表示を、優れた省スペース性をもって実現することができる。
【００３５】
また、本発明に係る省電力モード表示装置１１１では、３原色ＬＥＤ群１１３として、Ｒ−ＬＥＤ１１３ａ、Ｇ−ＬＥＤ１１３ｂ、及びＢ−ＬＥＤ１１３ｃを各ひとつづつ採用しているので、赤、緑、青、マゼンダ(赤＋青)、黄（赤＋緑）、シアン（青＋緑）、白（赤＋青＋緑）、及び全て消灯の、８通りの色が表示できる。従って、本発明に係る省電力モード表示装置１１１によれば、少なくとも８通りの画像形成装置における省電力モードを、ひとつの窓からの照射光を介して、ユーザに識別表示することができる。
【００３６】
［他の実施例］
次に、本発明に係る他の実施例について、図７を参照して説明する。図７は、本発明の他の実施例に係る省電力モード表示装置の要部を示す。なお、図７に示すＬＥＤ群は、図３に示すＬＥＤ群１１３と基本構成が共通であるため、その重複した説明を省略し、両者の相違点について言及する。すなわち、図３に示す３原色ＬＥＤ群１１３では、Ｒ−ＬＥＤ１１３ａ、Ｇ−ＬＥＤ１１３ｂ、及びＢ−ＬＥＤ１１３ｃを各別に正三角形の頂点位置に均等配置しているのに対し、図７に示す３原色ＬＥＤ群１２５では、Ｒ−ＬＥＤ１２５ａ、Ｒ−ＬＥＤ１２５ｂ、Ｇ−ＬＥＤ１２５ｃ、及びＢ−ＬＥＤ１２５ｄを各別に正四角形の頂点位置に均等配置して構成してある。本発明の他の実施例に係る省電力モード表示装置１１１によれば、画像形成装置における複数段階にわたる省電力モードの識別表示を、さらに優れた省スペース性をもって実現することができる。すなわち、本発明の他の実施例に係る省電力モード表示装置１１１では、３原色ＬＥＤ群２５として、Ｒ−ＬＥＤ１２５ａ、Ｒ−ＬＥＤ１２５ｂ、Ｇ−ＬＥＤ１２５ｃ、及びＢ−ＬＥＤ１２５ｄを各ひとつづつ採用しているので、３原色ＬＥＤ群１１３における８通りに、濃い赤（赤２つ点灯）、赤みがかったマゼンダ（赤２つ＋青）、オレンジ（赤２つ＋緑）、薄い赤（赤２つ＋緑＋青）を加えて、都合１２通りの色が表示できる。従って、本発明の他の実施例に係る省電力モード表示装置１１１によれば、少なくとも１２通りの画像形成装置における省電力モードを、ひとつの窓１１５からの照射光を介して、ユーザに識別表示することができる。
【００３７】
［その他］
本発明は、上述した実施例に限られるものではなく、請求の範囲及び明細書全体から読み取れる発明の要旨、あるいは技術思想に反しない範囲で適宜変更可能であり、そのような変更を伴う省電力モード表示方法及び省電力モード表示装置もまた、本発明における技術的範囲の射程に包含されるものである。
【００３８】
すなわち、本発明は、図４及び図５で定義付けた規則に限定されることなく、省電力モードの段階数や、各モード毎の該当ＬＥＤのオン／オフ制御の仕様を、適宜設定することが可能であって、そのように改変設定した省電力モード表示方法及び省電力モード表示装置もまた、本発明における技術的範囲の射程に包含される。
【００３９】
最後に、本発明実施例において、複数の光源として、３原色ＬＥＤ群を例示して説明したが、本発明はかかる実施例に限定されるものではなく、二以上の、相互に異なる波長を有する光源であれば、本発明の複数の光源として採用可能であることはいうまでもない。
【図面の簡単な説明】
【００４０】
【図１】本発明に係る省電力モード表示装置が搭載される画像形成装置の概略構成を示すブロック図である。
【図２】本発明に係る省電力モード表示装置が搭載される画像形成装置における操作パネル部の外観図である。
【図３】本発明の一実施例に係る省電力モード表示装置の概略構成を示すブロック図である。
【図４】三段階に階層化されている省電力モード毎の、各部への電力供給仕様を表す図である。
【図５】三段階の省電力モード毎の、各部における該当ＬＥＤのオン／オフ制御仕様を表す図である。
【図６】三段階の省電力モード毎の、省電力モード表示部８０における表示色を表す図である。
【図７】本発明の別の実施例に係る省電力モード表示装置の要部を示す説明図である。
【符号の説明】
【００４１】
１１  コントローラ部
４１  エンジン部（制御手段）
５１  操作パネル部（制御手段）
８０  省電力モード表示部
８１  ファクシミリ通信部（制御手段）
１１１  省電力モード表示装置
１１３  ３原色ＬＥＤ群（複数の光源）
１１５  透過窓（窓）
１１７  電源
１１９  抵抗群
１２１  トランジスタ群
１２３  制御手段
１２５  別の実施例に係る３原色ＬＥＤ群（複数の光源）
【図１】
2008165520.tif 000003
【図２】
2008165520.tif 000004
【図３】
2008165520.tif 000005
【図４】
2008165520.tif 000006
【図５】
2008165520.tif 000007
【図６】
2008165520.tif 000008
【図７】
2008165520.tif 000009